(57)【要約】【課題】測光の信頼性・タイムラグの減少ともに、さらに改善された撮像装置を提供することを目的とする。【解決手段】前記課題を解決するために、本発明の撮像装置は、フォーカスレンズを含み被写体光を集光する光学系と、前記被写体光に基づく画像データを生成する撮像手段と、前記フォーカスレンズを駆動して前記被写体光を前記撮像手段に合焦させる合焦手段と、前記被写体光の光量を測光する測光手段と、前記フォーカスレンズの位置を記憶する記憶手段と、制御手段と、を備え、前記制御手段は、前記測光手段を動作させたときの前記フォーカスレンズの位置を前記記憶手段に記憶させ、前記合焦手段を動作させ、前記合焦手段が合焦を完了したときの前記フォーカスレンズの位置と前記記憶手段に記憶された前記フォーカスレンズの位置との距離と、に基づいて前記測光手段を再度動作させるか否かを決定する、ことを特徴とする。【選択図】図４
2010258654.tif 000002
【特許請求の範囲】
【請求項１】
フォーカスレンズを含み被写体光を集光する光学系と、
前記被写体光に基づく画像データを生成する撮像手段と、
前記フォーカスレンズを駆動して前記被写体光を前記撮像手段に合焦させる合焦手段と、
前記被写体光の光量を測光する測光手段と、
前記フォーカスレンズの位置を記憶する記憶手段と、
制御手段と、
を備え、
前記制御手段は、
前記測光手段を動作させたときの前記フォーカスレンズの位置を前記記憶手段に記憶させ、
前記合焦手段を動作させ、
前記合焦手段が合焦を完了したときの前記フォーカスレンズの位置と前記記憶手段に記憶された前記フォーカスレンズの位置との距離と、
に基づいて前記測光手段を再度動作させるか否かを決定する、
ことを特徴とする撮像装置。
【請求項２】
前記制御手段は、
前記合焦手段が合焦を完了したときの前記フォーカスレンズの位置と前記記憶手段に記憶された前記フォーカスレンズの位置との距離が所定の値未満である場合は前記測光手段を再度動作させず、
前記合焦手段が合焦を完了したときの前記フォーカスレンズの位置と前記記憶手段に記憶された前記フォーカスレンズの位置との距離が所定の値以上である場合は前記測光手段を再度動作させる、
ことを特徴とする請求項１に記載の撮像装置。
【請求項３】
前記所定の値は、
前記合焦手段が合焦を完了したときの前記光学系の被写界深度に基づいて決定される、
ことを特徴とする請求項２に記載の撮像装置。
【請求項４】
フォーカスレンズを含み被写体光を集光する交換レンズを取り付け可能なカメラ本体であって、
前記被写体光に基づく画像データを生成する撮像手段と、
前記フォーカスレンズを駆動させ前記被写体光を前記撮像手段に合焦させるよう制御する合焦手段と、
前記被写体光の光量を測光する測光手段と、
前記フォーカスレンズの位置を記憶する記憶手段と、
制御手段と、
を備え、
前記制御手段は、
前記測光手段を動作させたときの前記フォーカスレンズの位置を前記記憶手段に記憶させ、
前記合焦手段を動作させ、
前記合焦手段が合焦を完了させたときの前記フォーカスレンズの位置と前記記憶手段に記憶された前記フォーカスレンズの位置との距離と、
に基づいて前記測光手段を再度動作させるか否かを決定する、
ことを特徴とするカメラ本体。
【請求項５】
前記制御手段は、
前記合焦手段が合焦を完了したときの前記フォーカスレンズの位置と前記記憶手段に記憶された前記フォーカスレンズの位置との距離が所定の値未満である場合は前記測光手段を再度動作させず、
前記合焦手段が合焦を完了したときの前記フォーカスレンズの位置と前記記憶手段に記憶された前記フォーカスレンズの位置との距離が所定の値以上である場合は前記測光手段を再度動作させる、
ことを特徴とする請求項４に記載のカメラ本体。
【請求項６】
前記所定の値は、
前記合焦手段が合焦を完了したときの前記光学系の被写界深度に基づいて決定される、
ことを特徴とする請求項５に記載のカメラ本体。
【発明の詳細な説明】
【技術分野】
【０００１】
本発明は、撮像装置の自動露出補正に関するものである。
【背景技術】
【０００２】
撮像装置の自動露出補正に関する先行技術文献として、特許文献１がある。特許文献１に記載の電子スチルカメラは、予備測光をオートフォーカス機構によるピント調節とともに行い、ピント調節動作の完了信号を受けて、予備測光で得られた測光値に基づいて再測光を行なう。
【０００３】
これによって、信頼性の高い測光を行なうことができるとともに、タイムラグが少なく、シャッタチャンスに強い電子スチルカメラを提供することができる。
【先行技術文献】
【特許文献】
【０００４】
【特許文献１】特開平２−１２５５７５号公報
【発明の概要】
【発明が解決しようとする課題】
【０００５】
しかしながら、特許文献１に記載の技術では、予備測光をオートフォーカス機構によるピント調節とともに行い、ピント調節動作の完了信号を受けて、予備測光で得られた測光値に基づいて再測光を行なうので、測光の信頼性・タイムラグの減少ともに十分とはいえないという課題がある。
【０００６】
本発明は、前記課題を解決し、測光の信頼性・タイムラグの減少ともに、さらに改善された撮像装置を提供することを目的とする。
【課題を解決するための手段】
【０００７】
前記課題を解決するために、本発明の撮像装置は、フォーカスレンズを含み被写体光を集光する光学系と、前記被写体光に基づく画像データを生成する撮像手段と、前記フォーカスレンズを駆動して前記被写体光を前記撮像手段に合焦させる合焦手段と、前記被写体光の光量を測光する測光手段と、前記フォーカスレンズの位置を記憶する記憶手段と、制御手段と、を備え、前記制御手段は、前記測光手段を動作させたときの前記フォーカスレンズの位置を前記記憶手段に記憶させ、前記合焦手段を動作させ、前記合焦手段が合焦を完了したときの前記フォーカスレンズの位置と前記記憶手段に記憶された前記フォーカスレンズの位置との距離と、に基づいて前記測光手段を再度動作させるか否かを決定する、ことを特徴とする。
【０００８】
前記制御手段は、前記合焦手段が合焦を完了したときの前記フォーカスレンズの位置と前記記憶手段に記憶された前記フォーカスレンズの位置との距離が所定の値未満である場合は前記測光手段を再度動作させず、前記合焦手段が合焦を完了したときの前記フォーカスレンズの位置と前記記憶手段に記憶された前記フォーカスレンズの位置との距離が所定の値以上である場合は前記測光手段を再度動作させる、ことを特徴とする。
【０００９】
前記所定の値は、前記合焦手段が合焦を完了したときの前記光学系の被写界深度に基づいて決定される、ことを特徴とする。
【００１０】
本発明のカメラ本体は、フォーカスレンズを含み被写体光を集光する交換レンズを取り付け可能なカメラ本体であって、前記被写体光に基づく画像データを生成する撮像手段と、前記フォーカスレンズを駆動させ前記被写体光を前記撮像手段に合焦させるよう制御する合焦手段と、前記被写体光の光量を測光する測光手段と、前記フォーカスレンズの位置を記憶する記憶手段と、制御手段と、を備え、前記制御手段は、前記測光手段を動作させたときの前記フォーカスレンズの位置を前記記憶手段に記憶させ、前記合焦手段を動作させ、前記合焦手段が合焦を完了させたときの前記フォーカスレンズの位置と前記記憶手段に記憶された前記フォーカスレンズの位置との距離と、に基づいて前記測光手段を再度動作させるか否かを決定する、ことを特徴とする。
【００１１】
前記制御手段は、前記合焦手段が合焦を完了したときの前記フォーカスレンズの位置と前記記憶手段に記憶された前記フォーカスレンズの位置との距離が所定の値未満である場合は前記測光手段を再度動作させず、前記合焦手段が合焦を完了したときの前記フォーカスレンズの位置と前記記憶手段に記憶された前記フォーカスレンズの位置との距離が所定の値以上である場合は前記測光手段を再度動作させる、ことを特徴とする。
【００１２】
前記所定の値は、前記合焦手段が合焦を完了したときの前記光学系の被写界深度に基づいて決定される、ことを特徴とする。
【発明の効果】
【００１３】
以上のように、本発明によれば、前記制御手段は、前記測光手段を動作させたときの前記フォーカスレンズの位置を前記記憶手段に記憶させ、前記合焦手段を動作させ、前記合焦手段が合焦を完了したときの前記フォーカスレンズの位置と前記記憶手段に記憶された前記フォーカスレンズの位置との距離と、に基づいて前記測光手段を再度動作させるか否かを決定する、ので、測光の信頼性・タイムラグの減少ともに、さらに改善された撮像装置を提供することができるという効果を奏する。
【図面の簡単な説明】
【００１４】
【図１】デジタルカメラ１の斜視図
【図２】デジタルカメラ１の構成図
【図３】カメラ本体２の動作を示す第一のフローチャート
【図４】カメラ本体２の動作を示す第二のフローチャート
【図５】フォーカスレンズ３０４の移動量と被写界深度の関係を示す模式図
【発明を実施するための形態】
【００１５】
（実施の形態）
本発明の実施の形態について、図面を参照して説明する。
（１  構成）
（１．１  全体）
図１は、本実施の形態に係るデジタルカメラ１の斜視図である。図２は、本実施の形態に係るデジタルカメラ１の構成図である。
【００１６】
本実施の形態のデジタルカメラ１は、カメラ本体２とカメラ本体２に着脱可能な交換レンズ３を備える。
【００１７】
カメラ本体２は、ＣＭＯＳセンサ２０１、シャッタ２０２、信号処理プロセッサ２０３、バッファメモリ２０４、液晶モニタ２０５、電子ビューファインダー２０６、電源２０７、ボディマウント２０８、フラッシュメモリ２０９、カードスロット２１０、ＣＰＵ２１１、シャッタスイッチ２１２、ストロボ２１３、マイク２１４、スピーカー２１５及びモードダイヤル２１６を備える。
【００１８】
また、交換レンズ３は、レンズマウント３０１、ズームレンズ３０３やフォーカスレンズ３０４を含むレンズ系、ズームレンズ３０３を駆動するズーム駆動部３０５、フォーカスレンズ３０４を駆動するフォーカス駆動部３０６、絞り３０７、絞り３０７を駆動する絞り駆動部３０８、ズームリング３０９、フォーカスリング３１０、レンズコントローラ３１１、および、フラッシュメモリ３１２を備える。以下、具体的に説明する。
（１．２  カメラ本体）
カメラ本体２は、交換レンズ３のレンズ系によって集光された被写体像を撮像して、画像データとして記録できるように構成されている。
【００１９】
ＣＭＯＳセンサ２０１は、受光素子とＡＧＣとＡＤコンバータを含んで構成される。受光素子は、レンズ系によって集光された光学的信号を電気信号に変換し、画像データを生成する。ＡＧＣは、受光素子から出力された電気信号を増幅する。ＡＤコンバータは、ＡＧＣから出力された電気信号をデジタル信号に変換する。ＣＭＯＳセンサ２０１は、ＣＰＵ２１１から受信した制御信号に従って、露光、転送、電子シャッタなどの各種の動作を行う。この各種動作は、タイミングジェネレータ等で制御される。電子シャッタは、受光素子における１フレーム当たりの受光時間を調整する。
【００２０】
メカシャッタ２０２は、交換レンズ３のレンズ系を介して入射したＣＭＯＳセンサ２０１に対する光学的信号の遮断又は通過を切り替える。メカシャッタ２０２は、メカシャッタ２０２駆動部によって駆動される。メカシャッタ２０２駆動部は、モータ、バネ等の機構部品からなり、ＣＰＵ２１１の制御によってメカシャッタ２０２を駆動する。メカシャッタ２０２を開閉することによって、ＣＭＯＳセンサ２０１に到達する光量を時間的に調整することができる。
【００２１】
信号処理プロセッサ２０３は、ＡＤコンバータによってデジタル信号に変換された画像データに所定の画像処理を施す。所定の画像処理としては、ガンマ補正、ＹＣ変換、電子ズーム処理、圧縮処理、伸張処理等が考えられるが、これらに限られるものではない。
【００２２】
バッファメモリ２０４は、信号処理プロセッサ２０３で処理を行う際及びＣＰＵ２１１で制御処理を行う際に、ワークメモリとして使用される。バッファメモリ２０４は、例えば、ＳＤＲＡＭなどで実現可能である。
【００２３】
液晶モニタ２０５は、カメラ本体２の背面に配置され、ＣＭＯＳセンサ２０１で生成された画像データまたはその画像データに所定の処理が施された画像データに基づく画像を表示可能である。
【００２４】
電子ビューファインダー２０６は、カメラ本体２に配置され、ＣＭＯＳセンサ２０１で生成された画像データまたはその画像データに所定の処理が施された画像データに基づく画像を表示可能である。
【００２５】
ここで、液晶モニタ２０５と電子ビューファインダー２０６への表示は、表示切替手段２１７によって、いずれか一方に切り替えられる。液晶モニタ２０５に画像が表示されている間は、電子ビューファインダー２０６には何も表示されない。一方、電子ビューファインダー２０６に画像が表示されている間は、液晶モニタ２０５には何も表示されない。表示切替手段２１７は、例えば、切替スイッチなどの機械的な構造で実現することができる。信号処理プロセッサ２０３と液晶モニタ２０５が電気的に接続されている場合、切替スイッチが切り替えられることによって、信号処理プロセッサ２０３と液晶モニタ２０５との電気的な接続が切断され、信号処理プロセッサ２０３と電子ビューファインダー２０６とが電気的に接続される。なお、上記に限られず、表示切替手段２１７は、ＣＰＵ２１１などからの制御信号に基づいて、液晶モニタ２０５と電子ビューファインダー２０６の表示の切り替えを行なってもよい。
【００２６】
以上のように、液晶モニタ２０５への表示と電子ビューファインダー２０６への表示を切り替えるようにしている。但し、これは、構成上の制限からくる問題であるため、液晶モニタ２０５への表示と、電子ビューファインダー２０６への表示を同時に行なうようにしても構わない。ここで、同時に表示する場合、液晶モニタ２０５に表示する画像と電子ビューファンダー２０６に表示する画像は、同じ画像であっても違う画像であっても構わない。
【００２７】
電源２０７は、デジタルカメラ１に電力を供給する。電源２０７は、例えば、乾電池であってもよいし充電池であってもよい。また、ＡＣアダプタにより外部から供給される電力をデジタルカメラ１に供給するものであっても構わない。
【００２８】
ボディマウント２０８は、交換レンズ３のレンズマウント３０１と相俟って、交換レンズ３の着脱を可能にする部材である。ボディマウント２０８は、交換レンズ３と接続端子等を用い電気的に接続可能であるとともに、係止部材等によって機械的にも接続可能である。ボディマウント２０８は、交換レンズ３に含まれるレンズコントローラ３１１からの信号をＣＰＵ２１１に出力できるとともに、ＣＰＵ２１１からの信号を交換レンズ３のレンズコントローラ３１１に出力できる。すなわち、ＣＰＵ２１１は、交換レンズ３側のレンズコントローラ３１１と制御信号やレンズ系に関する情報などを送受信可能である。
【００２９】
フラッシュメモリ２０９は、内蔵メモリとして用いられる記憶媒体である。フラッシュメモリ２０９は、画像データまたはその画像データに所定の処理が施された画像データを記憶可能である。また、デジタル化された音声信号も記憶可能である。加えて、画像データや音声信号の他に、ＣＰＵ２１１の制御のためのプログラムや設定値などを記憶可能である。
【００３０】
交換レンズ３に含まれるフォーカスレンズ３０４の光軸方向の位置や絞り３０７の絞り値や交換レンズ３の焦点距離は、レンズコントローラ３１１からレンズマウント３０１とボディマウント２０８を介してＣＰＵ２１１に送られる。ＣＰＵ２１１は、フォーカスレンズ３０４の光軸方向の位置をフラッシュメモリ２０９に記憶する。
【００３１】
カードスロット２１０は、メモリカード２１８を着脱するためのスロットである。メモリカード２１８は、画像データまたはその画像データに所定の処理が施された画像データを記憶可能である。また、デジタル化された音声信号も記憶可能である。メモリカード２１８は、記憶媒体である。
【００３２】
ＣＰＵ２１１は、カメラ本体２全体を制御する。ＣＰＵ２１１は、マイクロコンピュータである。ＣＰＵ２１１は、各種の制御を実行する。ＣＰＵ２１１は、レンズコントローラ３１１との間で制御信号のやり取りを行なうことも可能である。例えば、ＣＰＵ２１１は、レンズコントローラ３１１に対して、絞り３０７を制御するための制御信号及び絞り３０７の駆動速度を送信可能である。
【００３３】
シャッタスイッチ２１２は、カメラ本体２の上面に設けられた釦であり、使用者の半押しおよび全押し操作を検知する操作手段である。シャッタスイッチ２１２は、使用者の半押し操作を受け付けると、半押し信号をＣＰＵ２１１に出力する。また、シャッタスイッチ２１２は、使用者の全押し操作を受け付けると、全押し信号をＣＰＵ２１１に出力する。これらの信号に基づいて、ＣＰＵ２１１は、様々な制御を行なう。
【００３４】
ストロボ２１３は、ＣＰＵ２１１からの制御信号に基づいて、被写体に対して光の照射を行なう。例えば、ストロボ２１３は、キセノンランプとコンデンサー等を用いて実現できる。このように構成した場合、ストロボ２１３は、コンデンサーに高電圧の電荷を蓄積しておき、この電荷をキセノンランプの電極に加えることによって、光を照射する。
【００３５】
マイク２１４は、音声を電気信号に変換する。マイク２１４から出力された電気信号は、ＡＤコンバータによってデジタル信号に変換される。ＡＤコンバータで変換されたデジタル信号は、ＣＰＵ２１１の制御に従って、フラッシュメモリ２０９またはメモリカード２１８に記憶される。
【００３６】
スピーカー２１５は、電気信号を音声に変換する。ここで、スピーカー２１５へ入力される電気信号は、ＤＡコンバータでデジタル信号からアナログ信号に変換される。ＤＡコンバータの入力は、ＣＰＵ２１１の制御によって、フラッシュメモリ２０９またはメモリカード２１８から読み出されたデジタル信号である。
【００３７】
モードダイヤル２１６は、使用者の操作に応じて、複数のモードから一つのモードを選択する。複数のモードには、動画撮影モード、静止画撮影モード、再生モードなどが考えられる。モードダイヤル２１６は、使用者の操作に応じて、複数のモードから一つのモードが選択されると、選択されたモードに対応する情報をＣＰＵ２１１に送信する。ＣＰＵ２１１は、受信した情報に基づき、カメラ本体２の各部を制御する。また、ＣＰＵ２１１は、交換レンズ３に制御信号を送信して、レンズコントローラ３１１に交換レンズ３の各部を制御させる。
（１．３  交換レンズ）
レンズ系は、ズームレンズ３０３とフォーカスレンズ３０４と対物レンズ３０２を含んで構成され、被写体からの光を集光する。ズームレンズ３０３は、ズーム駆動部３０５またはズームリング３０９によって駆動され、ズーム倍率を調整する。フォーカスレンズ３０４は、フォーカス駆動部３０６またはフォーカスリング３１０によって駆動され、焦点の調節を行なう。フォーカスレンズ３０４やズームレンズ３０３は、可動レンズである。
【００３８】
ズーム駆動部３０５は、レンズコントローラ３１１の制御に従って、ズームレンズ３０３を駆動する。フォーカス駆動部３０６は、レンズコントローラ３１１の制御に従って、フォーカスレンズ３０４を駆動する。ＣＰＵ２１１は、レンズコントローラ３１１にフォーカスレンズ３０４やズームレンズ３０３の駆動を指示する。ズームレンズ３０３が光軸方向に移動すると、交換レンズ３の焦点距離が変化する。フォーカスレンズ３０４が光軸方向に移動すると、ＣＭＯＳセンサ２０１への被写体像の合焦状態が変化する。
【００３９】
絞り３０７は、レンズ系を通過する光量を調整する。例えば、光量の調整は、５枚羽根などで構成される開口径を大きくしたり、小さくしたりすることで可能である。絞り駆動部３０８は、絞り３０７の開口径の大きさを変更する。絞り駆動部３０８は、レンズコントローラ３１１からの制御信号に含まれる駆動速度に応じて、絞り３０７を制御可能である。ＣＰＵ２１１は、レンズコントローラ３１１に絞り３０７の駆動を指示する。
【００４０】
ズームレンズ３０３の駆動によって交換レンズ３の焦点距離が確定し、絞り３０７の駆動によって交換レンズ３のＦ値が確定する。フォーカスレンズ３０４の駆動によって被写体像がＣＭＯＳセンサ２０１に合焦する。ＣＰＵ２１１は、レンズマウント３０１及びボディマウント２０８を介してレンズコントローラ３１１から焦点距離と絞り値の情報及びフォーカスレンズ３０４の光軸方向の位置を得る。ＣＰＵ２１１は、フォーカスレンズ３０４の光軸方向の位置をフラッシュメモリ２０９に記憶する。
【００４１】
本実施の形態では、絞り駆動部３０８は、レンズコントローラ３１１の制御に基づいて、絞り３０７の開口径の大きさを変更する。開口径の大きさは、絞り値テーブルを参照して指定可能である。なお、絞り駆動部３０８は、レンズコントローラ３１１からの制御に基づいて絞り３０７を駆動するが、これに限られず、機械的な方法によって絞り３０７を駆動してもよい。機械的な方法によって絞り３０７を駆動する場合、ボディマウント２０８に連動ピンを設け、この連動ピンの駆動を絞り駆動部３０８が受けて、絞り３０７を駆動することで可能となる。連動ピンは、ＣＰＵ２１１により制御されたモータなどで駆動される。
【００４２】
ズームリング３０９は、交換レンズ３の外装に設けられ、使用者の操作に応じてズームレンズ３０３を駆動する。また、フォーカスリング３１０は、交換レンズ３の外装に設けられ、使用者の操作に応じてフォーカスレンズ３０４を駆動する。
【００４３】
レンズコントローラ３１１は、交換レンズ３全体を制御する。レンズコントローラ３１１は、各種の制御を実行する。例えば、レンズコントローラ３１１は、ＣＰＵ２１１から絞り３０７の制御信号を取得した場合、指定された絞り値及び駆動速度に基づいて絞り駆動部３０８を制御する。絞り駆動部３０８は、この制御に基づいて絞り３０７を駆動する。
【００４４】
フラッシュメモリ３１２は、内蔵メモリとして用いられる記憶媒体である。フラッシュメモリ３１２には、交換レンズ３の特性に関する情報が記憶されている。例えば、フラッシュメモリ３１２には、所定の焦点距離においてフォーカスレンズ３０４が所定量だけ移動したときのボケ量に関する情報が記憶されている。ボケ量に関する情報は、レンズコントローラ３１１によってＣＰＵ２１１に送信可能に構成されている。
【００４５】
レンズコントローラ３１１は、交換レンズ３がカメラ本体２に装着されたことを検知すると、ＣＰＵ２１１に交換レンズ３の特性に関する情報を送信するように構成されている。交換レンズ３がカメラ本体２に装着されると、カメラ本体２から交換レンズ３に電力が供給されるように構成されているため、レンズコントローラ３１１は、電力が供給されたことを検知して、すなわち、レンズコントローラ３１１が起動したときに交換レンズ３の特性に関する情報をＣＰＵ２１１に送信するようにするとよい。
（２．動作）
デジタルカメラ１の動作を説明する。本実施の形態は、カメラ本体２が主となるので、カメラ本体２の動作を中心に説明する。以下、カメラ本体２に交換レンズ３が装着されていない状態からの説明を行なう。なお、以下の説明では、ＣＭＯＳセンサ２０１で生成された画像データのコントラストに基づいて、ＣＰＵ２１１がフォーカスレンズ３０４を駆動させて被写体像をＣＭＯＳセンサ２０１に合焦させる、いわゆるコントラスト方式のオートフォーカス動作について説明する。なお、いわゆる位相差方式のオートフォーカス動作であっても本発明を適用することができる。フォーカスリング３１０を操作してフォーカスレンズ３０４を駆動する合焦の態様、いわゆるマニュアルフォーカス動作については説明しない。
【００４６】
図３は、カメラ本体２の動作を示す第一のフローチャートである。図３に示すように、ＣＰＵ２１１は、レンズコントローラ３１１からボケ量に関する情報を含む交換レンズ３の特性に関する情報を取得したか否かを判別する（Ｓ３１）。レンズコントローラ３１１は、交換レンズ３がカメラ本体２に装着されたことを検知すると、ボケ量に関する情報を含む交換レンズ３の特性に関する情報をＣＰＵ２１１に送信する。ＣＰＵ２１１は、ボケ量に関する情報を含む交換レンズ３の特性に関する情報を取得すると、フラッシュメモリ２０９に記憶する（Ｓ３２）。なお、ボケ量に関する情報は、デジタルカメラ１の電源投入時に送信されてもよいし、交換レンズ３がカメラ本体２に装着されたときに送信されてもよいし、随時送信されてもよい。すなわち、カメラ本体２がオートフォーカス動作を行うときに、ボケ量に関する情報がフラッシュメモリ３１２に記憶されていればよい。
【００４７】
図４は、カメラ本体２の動作を示す第二のフローチャートである。まず、測光動作（Ｓ４１）を行なう。測光動作（Ｓ４１）は、ＣＭＯＳセンサ２０１で生成された画像データに含まれる輝度成分をＣＰＵ２１１で抽出することで行なう。なお、カメラ本体２に照度センサを設ける構成でも構わない。測光動作（Ｓ４１）は、モードダイヤル２１６によって静止画撮影モードが選択されてから、所定の時間間隔で実施するとよい。なお、省電力化を図るため、使用者のシャッタスイッチ２１２半押し操作後に実施してもよい。
【００４８】
測光動作（Ｓ４１）が完了すると、ＣＰＵ２１１は、そのときのフォーカスレンズ３０４の光軸上の位置をフラッシュメモリ２０９に記憶（Ｓ４２）する。測光動作（Ｓ４１）が繰り返し実施された場合は、フラッシュメモリ２０９に記憶されたフォーカスレンズ３０４の光軸上の位置を都度、更新して記憶（Ｓ４２）する。
【００４９】
使用者がシャッタスイッチ２１２を半押しすると、合焦動作（Ｓ４３）を開始する。ＣＰＵ２１１は、レンズコントローラ３１１にフォーカスレンズ３０４を微小距離だけ駆動させ、ＣＭＯＳセンサ２０１で生成された画像データのコントラストを測定する。この動作を繰り返すことで、ＣＭＯＳセンサ２０１で生成された画像データのコントラストが最大になる光軸上の位置にフォーカスレンズ３０４を移動させる。これで合焦動作（Ｓ４３）が完了する。
【００５０】
ＣＰＵ２１１は、フラッシュメモリ２０９に記憶されたフォーカスレンズの光軸上の位置と合焦動作（Ｓ４３）が完了したときのフォーカスレンズ３０４の位置を比較（Ｓ４４）する。フォーカスレンズ３０４の移動量が大きいときは、再度、測光動作を実施する（Ｓ４６）。そして、再度の測光動作（Ｓ４６）の結果に基づいて露出を決定し、撮影（Ｓ４５）を行なう。一方、フォーカスレンズ３０４の移動量が小さいときは、再度の測光動作（Ｓ４６）を実施せず、直前の測光動作（Ｓ４１）の結果に基づいて露出を決定し、撮影（Ｓ４５）を行う。
【００５１】
ここで、フラッシュメモリ２０９に記憶されたフォーカスレンズの光軸上の位置と合焦動作が完了したときのフォーカスレンズ３０４の位置の比較（Ｓ４４）について説明する。
【００５２】
最も簡易的には、フォーカスレンズ３０４の移動量を所定の値と比較すればよい。所定の値は固定値でもよいし、交換レンズ３から得た焦点距離と絞り値に対応して変化する値でもよい。後者の場合、焦点距離が長くなればなるほど、また、絞り値が小さくなればなるほど被写界深度は浅くなるので、所定の値を小さくする。なぜなら、被写界深度が浅い場合には、フォーカスレンズ３０４のわずかな移動でもＣＭＯＳセンサ２０１に集光された被写体像にボケが発生するので、直前の測光動作（Ｓ４１）の結果と再度の測光動作（Ｓ４６）の結果が異なる可能性が高いからである。
【００５３】
以上のように、再度の測光動作（Ｓ４６）を実施するか否かの判断は、被写界深度との関係で行なうことが望ましい。図５は、フォーカスレンズ３０４の移動量と被写界深度の関係を示す模式図である。図５（ａ）、（ｂ）のいずれにおいても、上段は直前の測光動作（Ｓ４１）のときのフォーカスレンズ３０４の位置を示し、下段は合焦動作（Ｓ４３）が完了したときのフォーカスレンズ３０４の位置を示す。横軸は、すべて光軸上の位置を示す。長方形の枠は、被写界深度を模式的に示す。
【００５４】
図５（ａ）は、フォーカスレンズ３０４の移動量（ｍ）が被写界深度の深さ（Ｄ）よりも小さい場合を示し、図５（ｂ）は、フォーカスレンズ３０４の移動量（ｍ）が被写界深度の深さ（Ｄ）よりも大きい場合を示す。図５（ａ）では、フォーカスレンズ３０４の移動量（ｍ）が被写界深度の深さ（Ｄ）よりも小さいので、再度の測光動作（Ｓ４６）を実施しない。一方、図５（ｂ）では、フォーカスレンズ３０４の移動量（ｍ）が被写界深度の深さ（Ｄ）よりも大きいので、再度の測光動作（Ｓ４６）を実施する。
【００５５】
なお、図５では、フォーカスレンズ３０４の移動量を被写界深度Ｄそのものと比較する例を挙げたが、フォーカスレンズ３０４の移動量を被写界深度Ｄのｘ倍（ｘは正の実数）と比較するようにしてもよい。ｘは、実験の結果から得られる設計値である。一例として、ｘを２から３程度に決定しても、適正な露出が得られるカメラ本体２と交換レンズ３の組み合わせを確認した。また、カメラ本体２が交換レンズ３から被写界深度に関する情報を得るようにしてもよい。被写界深度に関する情報は、交換レンズ３内のフラッシュメモリ３１２に記憶する。
【００５６】
以上のように、本実施の形態では、交換レンズ３を取り付け可能なカメラ本体２について説明したが、レンズ系とカメラ本体２が一体となった撮像装置においても本発明を適用できる。また、再度の測光動作（Ｓ４６）を実施するか否かの判断は、被写界深度との関係で行なうように説明したが、これに限らない。例えば、合焦動作（Ｓ４３）が完了したときの画像データのコントラストの最大値（絶対値）を所定の値と比較してもよい。画像データのコントラストの最大値（絶対値）が所定の値以上であれば、再度の測光動作（Ｓ４６）を実施せず、画像データのコントラストの最大値（絶対値）が所定の値未満であれば、再度の測光動作（Ｓ４６）を実施する。
【産業上の利用可能性】
【００５７】
本発明によれば、測光の信頼性・タイムラグの減少ともに、さらに改善された撮像装置を提供することができるので、撮像装置一般、交換レンズを装着可能なカメラ本体に適用可能である。
【符号の説明】
【００５８】
１    デジタルカメラ
２    カメラ本体
３    交換レンズ
２０１    ＣＭＯＳセンサ
２０２    シャッタ
２０３    信号処理プロセッサ
２０４    バッファメモリ
２０７    電源
２０９    フラッシュメモリ
２１１    ＣＰＵ
２１２    シャッタスイッチ
３０３    ズームレンズ
３０４    フォーカスレンズ
３０５    ズーム駆動部
３０６    フォーカス駆動部
３０７    絞り
３０８    絞り駆動部
３１１    レンズコントローラ
３１２    フラッシュメモリ
【図１】
2010258654.tif 000003
【図２】
2010258654.tif 000004
【図３】
2010258654.tif 000005
【図４】
2010258654.tif 000006
【図５】
2010258654.tif 000007